(57)【要約】【課題】  幕板の着脱操作の不便を解消し、保管収納時に嵩張ることがないよう小型で省スペース状に折り畳み可能にする。【解決手段】  脚１を内側に折り畳み、着席者の前部を隠すための幕板２を甲板３の前側に垂下状に設けている幕板付き座卓であって、脚１を甲板３の左右側に側板状に設ける。幕板２を内側に折り畳み自在に形成すると共に、折り畳み時に脚１に重ね合わせて配置する。この場合本発明は、甲板３の左右の側部下面に、脚１の外側面に沿って縁板６を設け、この縁板６の高さを脚１と幕板２の折り畳み時の重ね合わせた高さとほぼ同一に選定し、また縁板６の下端６ａの中央部を甲板３側に凹段差状に切り欠いて取っ手部７に形成するのが好ましい。また本発明は、幕板２の裏面の側端部に、脚１の前側の板厚面１ａに当接する係止部材１０を設けるのが好ましい。【選択図】      図１
2006167090.tif 000002
【特許請求の範囲】
【請求項１】
脚が内側に折り畳まれ、着席者の前部を隠すための幕板が甲板の前側に垂下状に設けられている幕板付き座卓であって、上記の脚が甲板の左右側に側板状に設けられ、上記の幕板が内側に折り畳み自在に形成されると共に、折り畳み時に脚に重ね合われて配置されることを特徴とする幕板付き座卓。
【請求項２】
請求項１記載の幕板付き座卓であって、甲板の左右の側部下面に、脚の外側面に沿って縁板が設けられ、この縁板の高さが脚と幕板の折り畳み時の重ね合わされた高さとほぼ同一に選定され、また縁板の下端の中央部が甲板側に凹段差状に切り欠かれて取っ手部に形成されていることを特徴とする幕板付き座卓。
【請求項３】
請求項１又は２記載の幕板付き座卓であって、幕板の裏面の側端部に、脚の前側の板厚面に当接する係止部材が設けられていることを特徴とする幕板付き座卓。
【発明の詳細な説明】
【技術分野】
【０００１】
本発明は座卓に関し、更に詳しくは脚と幕板を折り畳み可能に形成した幕板付き座卓に関するものである。
【背景技術】
【０００２】
従来この種の発明としては、例えば甲板の前側の幕板を、係止金具によって取り付け取り外し可能に形成しているものがある（例えば特許文献１参照）。
【０００３】
ところで宴会等で座卓が対面形に並べられると、着席者の膝や股の間が見え、見苦しい場合がある。上記の従来品は、このような問題を幕板によって解決できるが、上記の通り、幕板を係止金具によって着脱操作する構造であったから、従来品によると幕板の着脱操作に手間暇がかかり、また取り外したときの幕板の始末に困ることがあった。
而して、幕板を甲板の前側に単に設けているだけでは、保管収納時に嵩張り、使い勝手が悪くなるのを避けられない。
従ってこの種の座卓は、着席者の膝や股の間が見えないよう、前側を隠すことができ、幕板の着脱操作の煩わしさを解消できると共に、折り畳み時の嵩張りを防止できるよう形成されているのが望ましい。
【特許文献１】特開２００４−２３６８９９号公報
【発明の開示】
【発明が解決しようとする課題】
【０００４】
本発明は、このような従来の問題点に鑑み、提案されたものである。
従って本発明の解決しようとする技術的課題は、幕板付き座卓において、幕板の着脱操作の不便を解消でき、保管収納時に嵩張ることがないよう、小型で省スペース状に折り畳みできるよう形成した幕板付き座卓を提供することにある。
【課題を解決するための手段】
【０００５】
本発明は、上記の課題を解決するため、次のような技術的手段を採る。
即ち本発明は、図１等に示されるように、脚１が内側に折り畳まれ、着席者の前部を隠すための幕板２が甲板３の前側に垂下状に設けられている幕板付き座卓であって、上記の脚１が甲板３の左右側に側板状に設けられ、上記の幕板２が内側に折り畳み自在に形成されると共に、折り畳み時に脚１に重ね合われて配置されることを特徴とする（請求項１）。
ここで、側板状に設けられ、とは、脚１を甲板３の四隅に夫々設けるのではなく、板状に形成した脚１を甲板３の両側部に対向状に一対設ける、ということを意味する。本発明は、幕板２を脚１に重ね合わすことが可能であれば、脚１同士は重ね合わされることなく折り畳まれるのでも良い。
【０００６】
また請求項１記載の本発明は、甲板３の左右の側部下面に、脚１の外側面に沿って縁板６が設けられ、この縁板６の高さが脚１と幕板２の折り畳み時の重ね合わされた高さとほぼ同一に選定され、また縁板６の下端６ａの中央部が甲板３側に凹段差状に切り欠かれて取っ手部７に形成されているのが好ましい（請求項２）。
【０００７】
なぜならこれによると、折り畳んで積み重ねる際、安定した状態で、隙間なく積層できるからである。またこの場合は、縁板６で折り畳まれた脚１や幕板２の端面を隠すことができ、取っ手部７により持ち運びが容易になるからである。
【０００８】
また請求項１又は２記載の本発明は、幕板２の裏面の側端部に、脚１の前側の板厚面１ａに当接する係止部材１０が設けられているのが好ましい（請求項３）。
【０００９】
なぜならこれによると、組み立て時（起立時）に幕板２が後方に回動（揺動）することを防止できるからである。またこの場合は、係止部材１０の板厚を選定することにより、折り畳み時に、係止部材１０を、脚１と縁板６との間に挿し嵌めて幕板２を仮止めできるからである。
【発明の効果】
【００１０】
本発明は、このように脚が左右一対の側板状に形成されているから、脚の折り畳み操作、組み立て操作に係る手間暇を軽減化できる。
また本発明は、幕板を内側に折り畳み自在に形成すると共に、折り畳み時に脚に重ね合わせて配置するよう構成しているため、これによれば幕板を着脱操作する不便を解消できるだけではなく、小型で省スペース状に折り畳むことができる。
【発明を実施するための最良の形態】
【００１１】
以下、本発明を実施するための最良の形態を説明する。
図１等において、１は脚であり、２は着席者の前部を隠すため、甲板３の前側に垂下状に設けられている幕板である。
【００１２】
上記の脚１は、甲板３の左右側に側板状に設けられ、ヒンジ４によって内側に折り畳み可能に形成されている。脚１は、この実施形態では、火頭窓形の切り欠き部５を有して平板状に形成されている。６は、甲板３の左右の側部下面に、脚１の外側面に沿って設けられている縁板である。この縁板６は、脚１の横幅に合わせて横長状のほぼ長方形に形成されると共に、高さが、脚１と幕板２の折り畳み時における重ね合わされた高さとほぼ同一に形成されている。また縁板６の下端６ａは、脚１の切り欠き部５の上縁５ａに合わされている。７は、取っ手部である。この取っ手部７は、縁板６の下端６ａの中央部が甲板３側に凹段差状に切り欠かれることにより形成されている。脚１用のヒンジ４は、縁板６の内面に重合され、甲板３の下面に設けられている裏板８に取り付けられている。裏板８は、一方が低く、他方が高く形成され、一方の裏板８に一方の脚１がヒンジ４で接続され、他方の裏板８に他方の脚１がヒンジ４で接続され、甲板３とほぼ平行状態で重合可能に形成されている。
【００１３】
上記の幕板２は、内側に折り畳み自在に形成されると共に、折り畳み時に脚１に重ね合われて配置されるよう構成されている。幕板２は、高さの低い細幅状の上部幕板２ａと、この上部幕板２ａに蝶番９で前面の垂直面を同一にして垂下状に連結される下部幕板２ｂとで形成されている。１０は、脚１の前側の板厚面１ａに当接する係止部材である。この係止部材１０は、脚１の板厚より薄い長方形の板材で形成され、幕板２を折り畳んだとき、幕板２を甲板３と平行に配置させる長さに形成されている。また係止部材１０は、幕板２の裏面の、この実施形態では一方の側の側端部に、脚１の板厚内に納まる状態に位置決めされて設けられている。
【００１４】
次に本発明品の作用を説明する。
本発明の場合、組立て時は、図１Ｂの状態から、使用者は先ず幕板２を外側に返し、次に脚１を一方側、他方側の順に外側に返す（図４参照）。これにより脚１は、上端面が裏板８の下面に当接し、上部外側面が縁板６の内面に当接して起立する（図１Ａ参照）。また幕板２は、係止部材１０が片方の脚１の前側の板厚面１ａに係止するため、前方から押しても後方に回動することなく、垂直に前垂れ状に配置される。
【００１５】
また折り畳み時は、図１Ａの状態から、使用者は先ず一方の脚１、次に他方の脚１の順に内側に折り畳み、重ね合わせる。次に使用者は、幕板２を内側に返し、脚１に重ね合わせる。この場合、係止部材１０は、図１Ｂに示されるように、脚１の上端面と縁板６の内面との間に挿入され、先端（図面上は下端）が裏板８の下面（図面上は上面）に当たり、下部幕板２ｂを甲板３と平行状に配置させる。
【００１６】
以上の処において、本発明の場合、上記の係止部材１０は、幕板２の係止状態がより安定するよう、幕板２の裏面の両側部に設けられているのでも良い。なお係止部材１０の厚さや形状は任意である。
【００１７】
また上記の縁板６は、積み重ね時の安定化を図れるよう、脚１と幕板２が重ね合わされて折り畳まれているときの高さと、ほぼ同一の高さに形成されるのが好ましいが、これに限定されるものではない。また取っ手部７は、凹段差状であれば、凹湾曲状に切り欠かれているのでも良い。
而して本発明は、図３に示されるように、縁板６の下端６ａと、脚１の火頭窓形の切り欠き部５の上縁５ａとが一致するよう形成されているのが好ましい。なぜならこの場合は、取っ手部７が、切り欠き部５から立ち上げられて頭状に形作られ、取っ手部７と切り欠き部５とが連続性を有するため、装飾性、意匠性を向上できるからである。
【図面の簡単な説明】
【００１８】
【図１】本発明の座卓の好適な一実施形態を示し、Ａは斜視図、Ｂは折り畳み時の斜視図である。
【図２】同上座卓の正面図である。
【図３】同上座卓の側面図である。
【図４】同上座卓の作用を説明するための斜視図である。
【図５】同上座卓の作用を説明するための背面図である。
【図６】図５のＶＩ−ＶＩ線における断面図である。
【符号の説明】
【００１９】
１      脚
１ａ    板厚面
２      幕板
３      甲板
６      縁板
６ａ    下端
７      取っ手部
１０    係止部材
【図１】
2006167090.tif 000003
【図２】
2006167090.tif 000004
【図３】
2006167090.tif 000005
【図４】
2006167090.tif 000006
【図５】
2006167090.tif 000007
【図６】
2006167090.tif 000008